(57)【要約】    【課題】  臭気が発生しない、イニシャルコストが安価である等の優れた特徴を備えた残渣物破砕処理システムを提供する。    【解決手段】  残渣物破砕処理システム（１０）は、処理すべき残渣物を含む水の中の残渣分を沈殿させ且つ重金属を吸着させるための沈殿分離装置（２４）を備え、沈殿分離装置が、残渣物を含む水を静置して残渣物を沈殿させる沈殿槽（２６）と、残渣物中の重金属を吸着する重金属吸着手段（２８）とを有する。残渣物破砕処理システムは好ましくは、油分を除去するための油分除去装置（３６）を備え、油分除去装置が、織布又は不織布が水の中を移動して油分を除去するように構成されている。【選択図】  図１
2005125262.tif 000002
【特許請求の範囲】
【請求項１】
残渣物破砕処理システムであって、
処理すべき破砕された残渣物を含む水の中の残渣分を沈殿させ且つ重金属を吸着させるための沈殿分離装置を備え、
前記沈殿分離装置が、残渣物を含む水を静置して残渣物を沈殿させる沈殿槽と、前記沈殿槽内に配置され、残渣物中の重金属を吸着する重金属吸着手段とを有していることを特徴とするシステム。
【請求項２】
処理すべき残渣物を含む水の中の油分を除去するための油分除去装置を更に備え、
前記油分除去装置に、処理すべき残渣物を含む水の中を移動する織布又は不織布を有する油分除去手段が配置されており、前記織布又は不織布が前記水の中を移動して油分を除去するように構成されていることを特徴とする請求項１に記載のシステム。
【請求項３】
処理すべき残渣物を沈殿分離装置で処理する前に破砕する破砕機を更に備え、
処理に用いた使用済みの水を前記破砕機に戻して再利用するように構成されていることを特徴とする請求項１又は２に記載のシステム。
【発明の詳細な説明】
【技術分野】
【０００１】
本発明は一般に、残渣物破砕処理システムに関する。より詳細には、本発明は、臭気が発生しない、イニシャルコストが安価である等の種々の優れた特徴を備えた残渣物破砕処理システムに関する。本発明のシステムにおいて処理の対象とされる残渣物には、一般家庭や食品工場、海産物処理工場等から排出される残渣物が含まれる。
【背景技術】
【０００２】
従来、残渣物を処理する方法として、微生物を利用する方法、残渣物を破砕して処理する方法、大型機械により残渣物を粉砕し、槽の中で散水しながら放流する方法、焼却処理する方法、堆積させて有機肥料とする方法等の種々の方法が知られている。
【発明の開示】
【発明が解決しようとする課題】
【０００３】
しかしながら、微生物を利用する方法には、臭気が発生する、微生物処理する前に或る程度の大きさに細かくすることが不可欠である、残渣物中に塩分が多く含まれていると微生物の働きが鈍る、連続的な処理が困難である、等の課題がある。また、破砕処理する方法には、下水道に直接放流するため沈殿槽の設置が義務づけられている、使用水量が多くコスト高となる、等の課題がある。また、大型機械を用いる方法には、多大なイニシャルコスト及びランニングコストを要する、臭気処理や残物処理に不十分な点が多い、等の課題がある。また、焼却処理する方法には、ダイオキシンが発生する、光熱費がかかりコスト高となる、等の課題がある。さらに、堆積させて有機肥料とする方法には、腐食堆肥となるため悪臭が発生するおそれがある、土壌や水質を汚染する可能性がある、等の課題がある。このように、従来の残渣物を処理する方法には、一長一短があり、満足すべきものが見当たらないのが実情である。
【０００４】
本発明は、このような現状に鑑みて案出されたものであり、臭気が発生しない、イニシャルコストが安価である等の種々の優れた特徴を備えた残渣物破砕処理システムを提供することを目的とする。
【課題を解決するための手段】
【０００５】
本願請求項１に記載の残渣物破砕処理システムは、処理すべき破砕された残渣物を含む水の中の残渣分を沈殿させ且つ重金属を吸着させるための沈殿分離装置を備え、前記沈殿分離装置が、残渣物を含む水を静置して残渣物を沈殿させる沈殿槽と、前記沈殿槽内に配置され、残渣物中の重金属を吸着する重金属吸着手段とを有していることを特徴とするものである。
【０００６】
本願請求項２に記載の残渣物破砕処理システムは、前記請求項１のシステムにおいて、処理すべき残渣物を含む水の中の油分を除去するための油分除去装置を更に備え、前記油分除去装置に、処理すべき残渣物を含む水の中を移動する織布又は不織布を有する油分除去手段が配置されており、前記織布又は不織布が前記水の中を移動して油分を除去するように構成されていることを特徴とするものである。
【０００７】
本願請求項３に記載の残渣物破砕処理システムは、前記請求項１又は２のシステムにおいて、処理すべき残渣物を沈殿分離装置で処理する前に破砕する破砕機を更に備え、処理に用いた使用済みの水を前記破砕機に戻して再利用するように構成されていることを特徴とするものである。
【発明の効果】
【０００８】
本発明の残渣物破砕処理システムは、構造が簡単であるためイニシャルコストが安価であり、設置スペースが小さくて済む。また、臭気の発生がなく、処理によって得られる沈殿物は肥料・飼料等に利用することができる。また、油分除去装置で除去された油分は、燃料として有効利用することができる。さらに、処理に用いた水を循環させて使用すれば、節水することができる。
【発明を実施するための最良の形態】
【０００９】
次に図面を参照して、本発明の好ましい実施の形態に係る残渣物破砕処理システムについて詳細に説明する。図１は、本発明の好ましい実施の形態に係る残渣物破砕処理システムの全体を概略的に示した正面図、図２は、残渣物破砕処理システムの全体を概略的に示した平面図である。
【００１０】
図１及び図２において全体として参照符号１０で示される本発明の好ましい実施の形態に係る残渣物処理システムは、処理すべき残渣物を一時的に貯蔵しておくための貯蔵槽１２と、処理すべき残渣物を或る程度の大きさに破砕するための一次破砕機１４と、一次破砕機１４で破砕された残渣物を更に細かく破砕するための二次破砕機１６とを備えている。一次破砕機１４では、残渣物は、約５ｃｍ以下の大きさに破砕される。また、二次破砕機１６では、残渣物は、約１ｍｍ以下の大きさに破砕される。なお、貯蔵槽１２、一次破砕機１４、及び二次破砕機１６は、通常のものでよい。
【００１１】
一次破砕機１４には、残渣物の破砕を容易にするために、給水管１８から水が供給される。貯蔵槽１２と一次破砕機１４との間には、残渣物を通すための管路２０が設けられ、一次破砕機１４と二次破砕機１６との間にも、残渣物を通すための管路２２が設けられている。
【００１２】
残渣物破砕処理システム１０は又、処理すべき残渣物を含む水（以下「処理水」という）中の残渣分を沈殿させ且つ重金属を吸着させるための沈殿分離装置２４を備えている。沈殿分離装置２４は、処理水を静置して残渣分を沈殿させる沈殿槽２６と、沈殿槽２６内の処理水の上水をオーバーフローさせて貯留する分離槽２８とを有している。沈殿槽２６内には、重金属吸着手段３０が配置されている。重金属吸着手段３０は、セラミック粒子等の吸着剤を収容した籠によって構成されている。重金属吸着手段３０は、図１に示されるように、吊りヒモ３０ａ等を用いて沈殿槽２６内に配置されている。
【００１３】
二次破砕機１６と沈殿分離装置２４との間には、残渣物（処理水）を通すための管路３２が設けられており、管路３０に配置されてポンプ３４によって、処理水が二次破砕機１６から沈殿分離装置２４に圧送されるようになっている。沈殿分離装置２４に圧送された処理水は、沈殿槽２６の上方に配置されたカゴ２６ａを経て沈殿槽２６内に供給される。なお、カゴ２６ａは、処理水中の大きな残渣物が沈殿槽２６内に入るのを阻止する役目を果たす。
【００１４】
残渣物処理破砕システム１０は更に、処理水中の油分を除去するための油分除去装置３６を備えている。油分除去装置３６には、処理水中を移動する織布又は不織布３８ａを有する油分除去手段３８が配置されており、織布又は不織布３８ａが処理水中を移動して処理水中の油分を除去するようになっている。このようにして織布又は不織布３８ａに堆積した油分は、燃料として利用することができる。なお、図１において、参照符号３８ｂは駆動ローラ、参照符号３８ｃは被動ローラ、参照符号３８ｄは油受を示している。
【００１５】
沈殿分離装置２４と油分除去装置３６との間には、処理水を通すための管路４０が設けられており、分離槽２８内に貯留された処理水が管路４０を介して油分除去装置３６に供給されるようになっている。油分を除去された処理水は、ポンプ４２によって圧送されカゴ４４を介して貯留槽４６に一旦貯留され、水分分離機４８によって固形分を除去した後、排水枡５０を経て下水道（図示せず）に放流される。なお、上述のようにして得られた固形分は、肥料や飼料等として利用することができる。
【００１６】
なお、処理に使用した水を、ポンプ５２によって一次破砕機１４に戻し、再使用してもよい。
【００１７】
本発明は、以上の発明の実施の形態に限定されることなく、特許請求の範囲に記載された発明の範囲内で、種々の変更が可能であり、それらも本発明の範囲内に包含されるものであることはいうまでもない。
【００１８】
例えば、処理すべき残渣物中に油分が殆どない場合には、油分除去装置３６を省略してもよい。また、処理に使用した水を循環させて再使用するのが好ましいが、このような水循環手段を省略してもよい。
【図面の簡単な説明】
【００１９】
【図１】本発明の本発明の好ましい実施の形態に係る残渣物破砕処理システムの全体を概略的に示した正面図である。
【図２】本発明の本発明の好ましい実施の形態に係る残渣物破砕処理システムの全体を概略的に示した平面図である。
【符号の説明】
【００２０】
１０  残渣物破砕処理システム
１２  貯蔵槽
１４  一次破砕機
１６  二次破砕機
２４  沈殿分離装置
３０  重金属吸着手段
３６  油分除去装置
４８  水分分離機
５０  排水枡
【図１】
2005125262.tif 000003
【図２】
2005125262.tif 000004